(57)【特許請求の範囲】
【請求項１】
搬送対象の物品を搬送する物品搬送装置の作動を制御する搬送制御手段と、
搬送対象の物品についての搬送元と搬送先とを固有の識別情報に対応付けて作成した搬送データを管理し、かつ、搬送対象物品についての前記搬送データに基づいて、搬送対象の物品を搬送元から搬送先まで搬送する搬送指令を前記搬送制御手段に送信する管理制御手段と、
前記管理制御手段が管理する前記搬送データに基づいて、その搬送データに対応する搬送データ対応情報を表示手段に表示させる表示制御手段が設けられている物品処理設備であって、
前記管理制御手段が、前記搬送データの搬送対象となる物品の属性情報を、前記搬送データを識別する識別情報と関連付けて記憶する形態で管理するように構成され、
前記表示手段に表示されている前記搬送データ対応情報を選択する人為操作式の選択手段が設けられ、
前記表示制御手段が、前記表示手段に表示している前記搬送データ対応情報が前記選択手段にて選択されると、当該搬送データ対応情報に対応する搬送データの前記識別情報に関連付けた前記属性情報を前記管理制御手段から取得して、その属性情報を前記表示手段に表示するように構成されている物品処理設備。
【請求項２】
前記管理制御手段が、複数の搬送対象の物品についての前記搬送データを、前記搬送元から前記搬送先までの搬送作業が正常完了したものと異常完了したものとを区別する状態で管理するように構成され、
前記表示制御手段が、異常完了した前記搬送データを分析して表示する分析表示指令が指令されると、異常完了した前記搬送データの前記識別情報に関連付けた前記属性情報としての物品の種類を示す物品種類情報を、前記管理制御手段から取得して、異常完了した前記搬送データの個数を前記搬送データの搬送対象となる物品の種類別に表示手段に表示するように構成されている請求項１記載の物品処理設備。
【請求項３】
前記物品搬送装置として、相互に物品を授受自在な複数の物品搬送機器が設けられ、
前記搬送制御手段として、前記複数の物品搬送機器の夫々の作動を制御する複数の機器制御装置が設けられ、
前記管理制御手段が、搬送対象の物品を前記複数の物品搬送機器にて中継搬送して前記搬送元から前記搬送先に搬送させるべく、前記搬送データに基づいて、前記複数の機器制御装置の夫々に対して前記搬送指令を順次指令するように構成され、
前記表示制御手段が、前記複数の物品搬送機器の夫々を示すシンボルを前記複数の物品搬送機器の配置に対応させて示すレイアウト画面を表示自在に構成され、かつ、前記物品搬送機器が担当する搬送作業を指定する前記搬送データの個数を前記搬送データ対応情報として前記レイアウト画面上における前記物品搬送機器を示すシンボルに対応させる形態で表示するように構成されている請求項１又は２記載の物品処理設備。
【請求項４】
前記物品搬送装置として、相互に物品を授受自在な複数の物品搬送機器が設けられ、
前記搬送制御手段として、前記複数の物品搬送機器の夫々の作動を制御する複数の機器制御装置が設けられ、
前記管理制御手段が、搬送対象の物品を前記複数の物品搬送機器にて中継搬送して前記搬送元から前記搬送先に搬送させるべく、前記搬送データに基づいて、前記複数の機器制御装置の夫々に対して前記搬送指令を順次指令するように構成され、
前記表示制御手段が、前記複数の物品搬送機器の夫々を示すシンボルを前記複数の物品搬送機器の配置に対応させて示すレイアウト画面を表示自在に構成され、かつ、前記搬送データが指定する搬送作業の搬送対象となる物品を示すシンボルを、前記搬送対象の物品の実際の搬送位置に対応させる形態で、前記搬送データ対応情報として前記レイアウト画面に表示するように構成され、かつ、前記選択手段にて前記物品のシンボルが選択されると、当該物品についての前記属性情報を前記表示手段に表示するように構成されている請求項１〜３のいずれか１項に記載の物品処理設備。
【請求項５】
前記表示制御手段が、前記レイアウト画面における拡大対象領域が前記選択手段にて選択されると、その拡大対象領域を拡大表示するように構成されている請求項３又は４記載の物品処理設備。
【発明の詳細な説明】
【技術分野】
【０００１】
本発明は、搬送対象の物品を搬送する物品搬送装置の作動を制御する搬送制御手段と、搬送対象の物品についての搬送元と搬送先とを固有の識別情報に対応付けて作成した搬送データを管理し、かつ、搬送対象物品についての前記搬送データに基づいて、搬送対象の物品を搬送元から搬送先まで搬送する搬送指令を前記搬送制御手段に送信する管理制御手段と、前記管理制御手段が管理する前記搬送データに基づいて、その搬送データに対応する搬送データ対応情報を表示手段に表示させる表示制御手段が設けられている物品処理設備に関する。
【背景技術】
【０００２】
上記物品処理設備では、管理制御手段が、搬送対象の物品についての搬送元と搬送先とを固有の識別情報に対応付けて作成した搬送データに基づいて、搬送対象の物品を搬送元から搬送先まで搬送する搬送指令を、物品搬送装置の作動を制御する搬送制御手段に指令すると、当該搬送データにて指定される搬送元から搬送先まで搬送対象の物品を搬送するべく、搬送制御手段が搬送指令に基づいて物品搬送装置の作動を制御する。
このような物品処理設備の従来例として、管理制御手段が搬送データに基づいて搬送制御手段に指令した搬送指令の内容（例えば、搬送データの識別番号、搬送元及び搬送先）を表示手段に表示させる表示制御手段を備えたものがある（例えば、特許文献１の段落「００３３」、「００３４」及び図７参照。）。
【先行技術文献】
【特許文献】
【０００３】
【特許文献１】特開平４−２８０７０３号公報
【発明の概要】
【発明が解決しようとする課題】
【０００４】
管理制御手段が、上位コントローラからの搬送要求を処理するために、物品搬送装置にて搬送元から搬送先まで搬送対象の物品を搬送する場合、管理制御手段は、搬送元と搬送先とを指定する搬送データに基づいて物品の搬送作業を管理する。つまり、各物品は、夫々の搬送データが指定する搬送元から搬送先まで搬送すべき物品として取り扱われる。そのため、各物品は、その属性情報（例えば、物品が、商品を収容したコンテナ等の物品収容体である場合、収容されている商品の商品コード、ロット番号、商品名、収容数、入荷元等の各種の情報）に関わらず、搬送データの搬送対象物品として管理される。
上記従来の物品処理設備では、表示制御手段は、管理手段が管理する搬送データに基づく搬送指令の内容を表示するように構成されている。つまり、従来では、搬送対象の物品がどこからどこへ搬送されるものであるかといった搬送作業の内容は把握できるものの、その物品の属性情報については表示手段に表示されないため、作業者は搬送対象の物品の属性情報を認識できない。
そのため、搬送対象の物品が、コンテナ等の物品収容体である場合に、その物品収容体に収容されている商品の属性作業対象の詳細を知りたくても、表示手段の表示により認識することができず、物品の属性情報を認識するためには、例えば、物品の属性情報を管理する別の管理手段から属性情報を取得する別途の装置を用意してその装置を操作するという不便を強いられるものであった。また、例えば、搬送対象の物品の搬送中に搬送トラブルが発生した場合、搬送トラブルの原因がその商品に固有のものであっても、物品の属性情報を表示手段に簡単に表示できないため、搬送トラブルの原因が商品に固有の原因であることに気付き難いものとなっていた。
【０００５】
本発明は上記実情に鑑みて為されたものであって、その目的は、搬送対象の物品の属性情報を簡単に認識できる物品処理設備を提供する点にある。
【課題を解決するための手段】
【０００６】
この目的を達成するために、本発明に係る物品処理設備の第１特徴構成は、
搬送対象の物品を搬送する物品搬送装置の作動を制御する搬送制御手段と、
搬送対象の物品についての搬送元と搬送先とを固有の識別情報に対応付けて作成した搬送データを管理し、かつ、搬送対象物品についての前記搬送データに基づいて、搬送対象の物品を搬送元から搬送先まで搬送する搬送指令を前記搬送制御手段に送信する管理制御手段と、
前記管理制御手段が管理する前記搬送データに基づいて、その搬送データに対応する搬送データ対応情報を表示手段に表示させる表示制御手段が設けられている物品処理設備において、
前記管理制御手段が、前記搬送データの搬送対象となる物品の属性情報を、前記搬送データを識別する識別情報と関連付けて記憶する形態で管理するように構成され、
前記表示手段に表示されている前記搬送データ対応情報を選択する人為操作式の選択手段が設けられ、
前記表示制御手段が、前記表示手段に表示している前記搬送データ対応情報が前記選択手段にて選択されると、当該搬送データ対応情報に対応する搬送データの前記識別情報に関連付けた前記属性情報を前記管理制御手段から取得して、その属性情報を前記表示手段に表示するように構成されている点にある。
【０００７】
本特徴構成によれば、管理制御手段が、搬送対象の物品についての搬送元と搬送先とを固有の識別情報に対応付けて作成した搬送データに基づいて、搬送対象の物品を搬送元から搬送先まで搬送する搬送指令を、物品搬送装置の作動を制御する搬送制御手段に指令すると、当該搬送データにて指定される搬送元から搬送先まで搬送対象の物品を搬送するべく、搬送制御手段が搬送指令に基づいて物品搬送装置の作動を制御する。
物品搬送装置により物品が搬送先に搬送されると、搬送制御手段が搬送完了情報を管理制御手段に送信する。管理制御手段は、搬送制御手段から搬送完了情報を受信すると、当該搬送データに基づく搬送作業が正常に完了したとして、当該搬送データの処理を完了する。このようにして、管理制御手段は搬送データを管理する。
【０００８】
表示制御手段により、管理制御手段が管理する搬送データに基づいて、その搬送データに対応する搬送データ対応情報が表示手段に表示されており、表示制御手段は、表示手段に表示している搬送データ対応情報が選択手段にて選択されると、当該搬送データ対応情報に対応する搬送データの識別情報に関連付けた属性情報を管理制御手段から取得して、その属性情報を表示手段に表示するように構成されている。したがって、作業者は、人為操作式の選択手段を操作して、表示手段に表示されている搬送データ対応情報を選択することで、搬送データ対応情報に対応する搬送データの搬送対象となっている物品の属性情報を表示手段に表示させることができる。そのため、表示手段に表示されている搬送データ対応情報に対応する搬送データの搬送対象となっている物品の属性情報を認識するために、例えば、物品の属性情報を管理する別の管理手段から属性情報を取得する別途の装置を用意してその装置を操作せずに済む。
このように、作業者が表示手段に表示されている搬送データ対応情報を選択するだけで搬送対象の物品の属性情報を簡単に認識できる物品処理設備を得るに至った。
【０００９】
本発明に係る物品処理設備の第２特徴構成は、前記管理制御手段が、複数の搬送対象の物品についての前記搬送データを、前記搬送元から前記搬送先までの搬送作業が正常完了したものと異常完了したものとを区別する状態で管理するように構成され、前記表示制御手段が、異常完了した前記搬送データを分析して表示する分析表示指令が指令されると、異常完了した前記搬送データの前記識別情報に関連付けた前記属性情報としての物品の種類を示す物品種類情報を、前記管理制御手段から取得して、異常完了した前記搬送データの個数を前記搬送データの搬送対象となる物品の種類別に表示手段に表示するように構成されている点にある。
【００１０】
本特徴構成によれば、作業者による指令操作により又は自動的に分析表示指令が指令されると、表示制御手段は、異常完了した搬送データの識別情報に関連付けた物品種類情報を、管理制御手段から取得し、異常完了した搬送データを分析して、異常完了した搬送データの個数を搬送データの搬送対象となる物品の種類別に表示手段に表示する。
これにより、搬送対象の物品の搬送中に搬送トラブルが発生した場合、当該物品を搬送対象とする搬送データは異常完了することになるが、異常完了した搬送データの個数を搬送データの搬送対象となる物品の種類別に表示手段に表示することで、その搬送トラブルの原因が物品の種類に固有のもの（例えば、荷崩れし易い物品）である場合に、その種類の物品を搬送対象とする搬送データのうち異常完了したものの個数が多くなる傾向が表示手段に表示されることになるため、作業者は、搬送トラブルの原因が物品の種類に固有の原因であることに気付き易く、適切な対策を採ることが可能となる。
【００１１】
本発明に係る物品処理設備の第３特徴構成は、前記物品搬送装置として、相互に物品を授受自在な複数の物品搬送機器が設けられ、前記搬送制御手段として、前記複数の物品搬送機器の夫々の作動を制御する複数の機器制御装置が設けられ、前記管理制御手段が、搬送対象の物品を前記複数の物品搬送機器にて中継搬送して前記搬送元から前記搬送先に搬送させるべく、前記搬送データに基づいて、前記複数の機器制御装置の夫々に対して前記搬送指令を順次指令するように構成され、前記表示制御手段が、前記複数の物品搬送機器の夫々を示すシンボルを前記複数の物品搬送機器の配置に対応させて示すレイアウト画面を表示自在に構成され、かつ、前記物品搬送機器が担当する搬送作業を指定する前記搬送データの個数を前記搬送データ対応情報として前記レイアウト画面上における前記物品搬送機器を示すシンボルに対応させる形態で表示するように構成されている点にある。
【００１２】
本特徴構成によれば、管理制御手段が複数の機器制御装置の夫々に対して搬送指令を順次指令することで、複数の機器制御装置にて複数の物品搬送機器の夫々の作動が制御されて、搬送対象の物品は搬送元から搬送先まで中継搬送される。そして、表示制御手段は、複数の物品搬送機器の夫々を示すシンボルを複数の物品搬送機器の配置に対応させて示すレイアウト画面を表示するので、表示手段には、実際の物品搬送機器の配置に合わせて物品搬送機器のシンボルがレイアウト画面に表示され、このレイアウト画面上における物品搬送機器を示すシンボルに対応させて、物品搬送機器が担当する搬送作業を指定する搬送データの個数が搬送データ対応情報として表示されることになる。
したがって、作業者は、レイアウト画面で表示されている物品搬送機器のシンボルに対応して表示されている搬送データの個数表示を選択手段にて選択すればよいので、表示手段に表示されている搬送データ対応情報を適確に選択することができ、物品搬送機器が担当している搬送データのうち所望の搬送データが搬送対象とする物品についての属性情報を表示手段に表示させることができる。
このように、本特徴構成によれば、所望の搬送データが搬送対象とする物品についての属性情報を適確に認識できる。
【００１３】
本発明に係る物品処理設備の第４特徴構成は、前記物品搬送装置として、相互に物品を授受自在な複数の物品搬送機器が設けられ、前記搬送制御手段として、前記複数の物品搬送機器の夫々の作動を制御する複数の機器制御装置が設けられ、前記管理制御手段が、搬送対象の物品を前記複数の物品搬送機器にて中継搬送して前記搬送元から前記搬送先に搬送させるべく、前記搬送データに基づいて、前記複数の機器制御装置の夫々に対して前記搬送指令を順次指令するように構成され、前記表示制御手段が、前記複数の物品搬送機器の夫々を示すシンボルを前記複数の物品搬送機器の配置に対応させて示すレイアウト画面を表示自在に構成され、かつ、前記搬送データが指定する搬送作業の搬送対象となる物品を示すシンボルを、前記搬送対象の物品の実際の搬送位置に対応させる形態で、前記搬送データ対応情報として前記レイアウト画面に表示するように構成され、かつ、前記選択手段にて前記物品のシンボルが選択されると、当該物品についての前記属性情報を前記表示手段に表示するように構成されている点にある。
【００１４】
本特徴構成によれば、管理制御手段が複数の機器制御装置の夫々に対して搬送指令を順次指令することで、複数の機器制御装置にて複数の物品搬送機器の夫々の作動が制御されて、搬送対象の物品は搬送元から搬送先まで中継搬送される。そして、表示制御手段は、複数の物品搬送機器の夫々を示すシンボルを複数の物品搬送機器の配置に対応させて示すレイアウト画面を表示するので、表示手段には、実際の物品搬送機器の配置に合わせて物品搬送機器のシンボルがレイアウト画面に表示される。搬送データが指定する搬送作業の搬送対象となる物品を示すシンボルが、搬送対象の物品の実際の搬送位置に対応させる形態でレイアウト画面に搬送データ対応情報として表示され、選択手段にて物品のシンボルが選択されると、当該物品についての属性情報が表示手段に表示される。
したがって、作業者は、レイアウト画面に表示される物品を示すシンボルを選択手段にて選択するだけで、そのシンボルにて示された物品についての搬送データや属性情報を表示手段に表示させることができるため、物品についての搬送データや属性情報を適確かつ簡単に認識することができる。
【００１５】
本発明に係る物品処理設備の第５特徴構成は、前記表示制御手段が、前記レイアウト画面における拡大対象領域が前記選択手段にて選択されると、その当該拡大対象領域を拡大表示するように構成されている点にある。
【００１６】
本特徴構成によれば、レイアウト画面における拡大対象領域が選択手段にて選択されると、表示制御手段がその拡大対象領域を拡大表示する。したがって、設備が大規模であるために表示手段に表示されたレイアウト画面における物品や物品搬送機器のシンボルが小さくてそれらを選択操作しにくい場合には、作業者は、拡大対象領域を選択してその領域を拡大表示させることでレイアウト画面における物品や物品搬送機器のシンボルを大きく表示させることができるため、レイアウト画面における物品や物品搬送機器のシンボルを選択操作し易くなる。
【図面の簡単な説明】
【００１７】
【図１】自動倉庫設備の全体配置図
【図２】自動倉庫設備の制御ブロック図
【図３】モニタ端末の外観斜視図
【図４】監視装置及びモニタ端末の構成を示すブロック図
【図５】モニタリングメニューの初期画面
【図６】モニタリングメニューの拡大画面
【図７】搬送データの内容を表示する表示状態を示す図
【図８】商品・作業情報の内容を表示する表示状態を示す図
【図９】異常搬送データのエラーコード別の分析表示画面
【図１０】分析表示画面の対象期間及び対象範囲を切り換える表示切替指令を説明する図
【図１１】異常搬送データの商品コード別の分析表示画面
【発明を実施するための形態】
【００１８】
本発明に係る物品処理設備の実施形態を、自動倉庫設備に適用した例により図面に基づいて説明する。図１は、自動倉庫設備の配置平面図である。
この自動倉庫設備は、物品としてのコンテナ１を収納する複数の物品収納空間２を有する棚３と、棚３に沿って走行経路４上を自走し、棚３との間でコンテナ１の入出庫を行うスタッカークレーン５と、スタッカークレーン５の入出庫位置とコンテナ１の積込み積卸し位置間のコンテナ１の搬送を行う一対の入庫用コンベヤ６ａ及び出庫用コンベヤ６ｂとを備えた８セットの自動倉庫８と、入庫用コンベヤ６ａ及び出庫用コンベヤ６ｂとコンテナ１の積込みや積卸しを行い、ループ状の走行経路９上を自走してコンテナ１の搬送を行う３台の自走搬送台車１０と、自走搬送台車１０とコンテナ１を授受する３台のコンベヤ１１を備えた９セットの荷捌コンベヤ装置１２と、外部から搬入されるコンテナ１を自走搬送台車１０のステーションまで搬送する２台の搬入用コンベヤ１３と、外部へ搬出されるコンテナ１を自走搬送台車１０のステーションから搬送する２台の搬出用コンベヤ１４を備えて構成されている。
【００１９】
コンテナ１は複数の荷（本実施形態では、個包装された商品としている。）を収容自在となっており、上述したスタッカークレーン５、入出庫用コンベヤ６、自走搬送台車１０、荷捌コンベヤ装置１２、搬入用コンベヤ１３、搬出用コンベヤ１４といった各種の物品搬送機器が、コンテナ１を相互に授受しながら中継して自動搬送する。
【００２０】
上述の各物品搬送機器は、図２に示されているように、各制御装置と通信自在に接続されている。これらの制御装置は、通信制御部、入出力部、情報処理部、記憶部を備えたコンピュータであり、後述する搬送管理装置Ｃ２から送信される搬送データに基づき各物品搬送機器の作動を制御する。
【００２１】
搬入用コンベヤ１３及び搬出用コンベヤ１４は、搬出入制御装置Ｃ３に接続され、自走搬送台車１０は、台車制御装置Ｃ４に接続され、スタッカークレーン５は、クレーン制御装置Ｃ５に接続され、入庫用コンベヤ６ａ及び出庫用コンベヤ６ｂは、入出庫制御装置Ｃ６に接続され、荷捌コンベヤ装置１２は、荷捌制御装置Ｃ７に接続されている。なお、台車制御装置Ｃ４と３台の自走搬送台車１０とは、走行経路に沿って配設されたフィーダ線を使った無線通信により通信自在に接続されている。また、クレーン制御装置Ｃ５とスタッカークレーン５とは、赤外線通信装置により通信自在に接続されている。
【００２２】
機器制御装置Ｃ３〜Ｃ７は、夫々が備える通信制御部により自動倉庫設備に設けられた通信ネットワークに接続されている。この通信ネットワークには、作業指令装置Ｃ０、作業管理装置Ｃ１、搬送管理装置Ｃ２、並びに、監視装置Ｓ及びモニタ端末Ｍが接続されている。
【００２３】
作業指令装置Ｃ０、作業管理装置Ｃ１、搬送管理装置Ｃ２、並びに、監視装置Ｓ及びモニタ端末Ｍも、通信制御部、入出力部、情報処理部、記憶部を備えたコンピュータである。作業指令装置Ｃ０は、商品の出荷作業や入荷作業や荷捌作業を作業要求として指令する。作業管理装置Ｃ１は、作業指令装置Ｃ０から作業要求が指令されるとその作業要求の対象となる商品を作業要求にしたがって処理するべく、対応するコンテナ１を搬送対象として選定し、搬送対象のコンテナ１の搬送元情報及び搬送先情報とを固有の識別情報としての搬送キーに対応付けて搬送データを生成し、その搬送データを搬送管理装置Ｃ２に送信する。搬送管理装置Ｃ２は、作業管理装置Ｃ１から搬送データを受信すると、その搬送データにより特定される搬送対象のコンテナ１を搬送元から搬送先まで搬送するべく、スタッカークレーン５、入出庫用コンベヤ６、自走搬送台車１０、荷捌コンベヤ装置１２、搬入用コンベヤ１３、搬出用コンベヤ１４といった各種の物品搬送機器を作動させる搬送指令を、物品搬送装置の作動を制御する各機器制御装置Ｃ３〜Ｃ７に対して指令する。
【００２４】
例えば、ある商品についての荷捌作業要求が作業指令装置Ｃ０から指令されると、作業管理装置Ｃ１より、当該作業要求の対象となる商品を収容するコンテナ１の棚位置、搬出先の荷捌コンベヤ装置１２の位置が含まれている搬送データが送信される。これを受信した搬送管理装置Ｃ２は、搬送データが搬送対象とするコンテナ１の棚位置を認識し、対応する自動倉庫８のクレーン制御装置Ｃ５へ、当該コンテナ１を出庫するべく、搬送指令を送出する。クレーン制御装置Ｃ５は、制御対象のスタッカークレーン５にてコンテナ１を棚３より出庫用コンベヤ６ｂに出庫し終えると、搬送管理装置Ｃ２に搬送完了情報を送信する。次に、搬送管理装置Ｃ２は入出庫制御装置Ｃ６に搬送指令を送信し、入出庫制御装置Ｃ６は、制御対象の出庫用コンベヤ６ｂにてコンテナ１を搬送端部まで搬送を完了した時点で搬送完了情報を送出する。続いて搬送管理装置Ｃ２は搬送を担当する自走搬送台車１０の割当を決定し、台車制御装置Ｃ４に、割り当て済みの自走搬送台車１０にてコンテナ１を荷捌コンベヤ装置１２へ搬送させる搬送指令を送信する。台車制御装置Ｃ４は、自走搬送台車１０が搬送を完了した時点で搬送管理装置Ｃ２に搬送完了情報を送信する。最後に、搬送管理装置Ｃ２は、荷捌制御装置Ｃ７に搬送指令を送信し、荷捌コンベヤ装置１２が搬送を完了した時点で、荷捌制御装置Ｃ７が搬送管理装置Ｃ２に搬送完了情報を送信する。そして、搬送管理装置Ｃ２は、搬送データにて指定された搬送先である荷捌コンベヤ装置１２の所定の搬送位置にコンテナ１が搬送されたとして、作業管理装置Ｃ１に搬送完了報告を送信する。このようにして、荷捌作業に必要なコンテナ１が自動倉庫８の物品収納空間２から荷捌コンベヤ装置１２の所定の搬送位置まで搬送される。
【００２５】
コンテナ１が荷捌コンベヤ装置１２の所定の搬送位置まで搬送されるまでに搬送管理装置Ｃ２がクレーン制御装置Ｃ５等から受信する搬送完了情報は、作業管理装置Ｃ１に進捗情報として送信される。これにより、作業管理装置Ｃ１は、搬送データが搬送対象とするコンテナ１がどの物品搬送機器まで搬送されたかという進捗状況を管理できるようになっている。
【００２６】
荷捌コンベヤ装置１２の所定の搬送位置では、作業者Ｐによる人為作業である積付作業や払出作業が行われる。９セットの荷捌コンベヤ装置１２の夫々について作業箇所が設定されている。つまり、本実施形態では、作業箇所が複数設けられており、作業箇所用搬送機器としての荷捌コンベヤ装置１２が、９箇所の作業箇所に対応して９台設けられている。そして、スタッカークレーン５、入出庫用コンベヤ６、自走搬送台車１０、荷捌コンベヤ装置１２は、作業者Ｐによる人為作業の対象となるコンテナ１を、搬送元から搬送先である作業箇所まで搬送する物品搬送装置として機能する。また、各作業箇所は、コンテナ１に商品を積み付ける積付作業とコンテナ１から商品を払い出す払出作業との双方を行うように設定されている。
【００２７】
このように、物品搬送装置として、相互に物品を授受自在な複数の物品搬送機器（スタッカークレーン５、入出庫用コンベヤ６、自走搬送台車１０、荷捌コンベヤ装置１２、搬入用コンベヤ１３、搬出用コンベヤ１４）が設けられ、物品搬送装置の作動を制御する搬送制御手段として、これらの物品搬送機器の夫々の作動を制御する複数の機器制御装置Ｃ３〜Ｃ７が設けられている。また、作業管理装置Ｃ１及び搬送管理装置Ｃ２は、搬送元から搬送先に搬送する複数の搬送対象のコンテナ１の夫々を識別する識別情報、及び、搬送対象のコンテナ１ごとに割り付けられた搬送先情報を含む搬送データを管理する管理制御手段として機能している。
【００２８】
そして、搬送管理装置Ｃ２は、搬送対象のコンテナ１を搬送元から搬送先に搬送するべく、搬送データを機器制御装置Ｃ３〜Ｃ７に指令する。その際、搬送管理装置Ｃ２は、上述の如く、搬送データが搬送対象とするコンテナ１を複数の物品搬送機器にて中継搬送して搬送元から作業箇所に搬送させるべく、搬送データに基づいて、複数の機器制御装置としてのクレーン制御装置Ｃ５・入出庫制御装置Ｃ６・台車制御装置Ｃ４・荷捌制御装置Ｃ７の夫々に対して搬送指令を順次指令するように構成されている。
【００２９】
作業指令装置Ｃ０は、予め設定された所定期間内に発生した入荷作業要求、出荷作業要求、荷捌作業要求を一つの作業単位とし、この作業単位に含まれる複数の商品についての複数の作業要求を一括して一つの作業指令として作業管理装置Ｃ１に指令するバッチ処理方式を採用している。そのため、作業管理装置Ｃ１は、複数の作業要求について対応する搬送データを生成し、複数の搬送データの夫々についてその進捗状況と完了・未完了の処理状態を管理することになる。
【００３０】
作業管理装置Ｃ１は、搬送対象のコンテナ１が搬送先としての作業箇所に搬送されるに伴って搬送制御手段としてのクレーン制御装置Ｃ５等から通信される搬送完了情報に基づいて、搬送対象となるコンテナ１のうち、作業箇所に未だ搬送されていない未搬送コンテナの個数である未搬送個数を、当該未搬送コンテナについての搬送データの数により管理するように構成されている。詳しくは、複数の物品搬送機器のうち作業箇所にコンテナ１を搬送する作業箇所用搬送機器である荷捌コンベヤ装置１２が作業箇所に未だ搬送していないコンテナ１の個数を未搬送個数として管理している。
【００３１】
また、作業管理装置Ｃ１は、搬送データの搬送対象として搬送元から搬送処理されているコンテナ１が搬送経路途中における搬送トラブル等により搬送先まで正常に搬送されなかった場合、そのコンテナ１についての搬送データについては異常終了したとして、途中までの進捗データとともに、異常搬送データとして記憶している。一方、作業管理装置Ｃ１は、搬送データの搬送対象として搬送元から搬送処理されているコンテナ１が搬送先まで正常に搬送された場合、そのコンテナ１についての搬送データについては正常終了したとして、搬送経路における全ての進捗データとともに、正常搬送データとして記憶している。つまり、作業管理装置Ｃ１は、複数の搬送対象のコンテナ１についての搬送データを、搬送元から搬送先までの搬送作業が正常完了したものと、異常完了したものとを区別する状態で管理している。
【００３２】
具体的には、作業管理装置Ｃ１は、その記憶部において、複数の搬送データを管理するための管理データベースを備えている。管理データベースは、搬送マスタデータの他に、商品情報についてのデータベースである商品マスタデータなどが搬送キーにより関連付けられたリレーショナルデータベースである。
【００３３】
管理データベースにより、搬送キーで特定される「搬送データ」を構成する情報（搬送区分（入庫／出庫の区分）、搬送元、搬送先、ロケーション番号等の各情報）が、当該搬送キーの搬送データが搬送対象とするコンテナ１に収納される商品についての「商品・作業情報」を構成する情報（商品コード、ロット番号、商品名、作業数、入荷元等の各情報）と関連付けて記憶されている。つまり、作業管理装置Ｃ１が、搬送データの搬送対象となるコンテナ１の属性情報として、そのコンテナ１に収納される商品についての「商品・作業情報」を構成する情報を、搬送データを識別する識別情報としての搬送キーと関連付けて記憶する形態で管理するように構成されている。
【００３４】
また、コンテナ１の搬送経路上で異常が発生した場合は、機器制御装置から異常コードが搬送キーと共に報告され、その異常コードが搬送キーと対応付けて記録される。詳しくは後述するが、これにより、監視装置Ｓが異常コード別の異常発生回数等を分析できるようになっている。
【００３５】
なお、ロケーション番号は、その搬送キーの搬送作業の搬送区分が入庫時区分なら搬送先となる物品収納空間２についての棚３におけるバンク・ベイ・レベルの値であり、搬送キーの搬送区分が出庫時区分なら搬送元となる物品収納空間２についての棚３におけるバンク・ベイ・レベルの値である。
【００３６】
次に、監視装置Ｓ及びモニタ端末Ｍについて説明する。監視装置Ｓは、作業管理装置Ｃ１及び搬送管理装置Ｃ２の管理情報並びに各機器制御装置Ｃ３〜Ｃ７の制御情報を収集して、自動倉庫設備の状態を監視及び分析して作業者が視認できる表示形態にて表示するための表示情報を生成するサーバであり、クライアントであるモニタ端末Ｍからの各種の表示要求があると、要求された表示情報を生成してモニタ端末Ｍに送信する。
【００３７】
モニタ端末Ｍは、図３に示すように、監視装置Ｓが送信した表示情報を表示する表示手段としての表示部１５と、通信制御部、入出力部、情報処理部及び記憶部を備えたコンピュータ本体部１６と、監視装置Ｓに対する表示指令を入力する入力手段としてのキーボード１７及びマウス１８とを備えて構成されている。モニタ端末Ｍは、図１に示すように、設備の適宜箇所に複数台分散して設けられている。本実施形態では、作業箇所において積付作業や払出作業を行う作業者が作業見込み等を把握するために閲覧する閲覧用のモニタ端末として、３〜４箇所の作業箇所に対して１台のモニタ端末Ｍが配置されている。
【００３８】
監視装置Ｓは、図４に示すように、通信制御部、入出力部、情報処理部及び記憶部を備えた本体部にて構成されており、自動倉庫設備の搬送設備機器の動作状態や搬送作業の処理状況等をリアルタイムでモニタ端末Ｍに表示するモニタリング機能部Ｐ１や搬送設備機器の動作履歴及び異常履歴並びに搬送作業の処理実績等をモニタ端末Ｍの表示部に表示する履歴表示分析機能部Ｐ２等をプログラム形式で備えている。そして、モニタ端末Ｍにおけるコンピュータ本体部１６の情報処理部は、監視装置Ｓが生成した表示情報を表示部１５に表示させる表示制御部Ｐ３をプログラム形式で備えている。
【００３９】
そして、監視装置Ｓのモニタリング機能部Ｐ１が、作業管理装置Ｃ１が管理する未搬送個数を表示部１５に表示させる表示情報を生成し、この未搬送個数についての表示情報は、モニタ端末Ｍの表示制御部Ｐ３の表示制御作用により表示部１５に視認可能な状態で表示される。つまり、作業管理装置Ｃ１が管理する未搬送個数を表示部１５に表示させる表示制御手段Ｇが、監視装置Ｓのモニタリング機能部Ｐ１及びモニタ端末Ｍの表示制御部Ｐ３により構成されている。
【００４０】
図３では、モニタ端末Ｍの表示部１５に、監視装置Ｓが生成する初期画面情報が表示されている状態を示しており、マウスカーソルにより、各種メニューを選択することで所望の表示情報を表示できるようになっている。「監視」メニューを選択することにより図５に示す監視メニューの初期画面が表示されるので、その状態で未搬送個数を表示させたい物品搬送機器を拡大表示することで表示させることができる。以下、表示制御手段Ｇにより表示部１５に表示される表示情報について説明する。
【００４１】
図５に示すように、「監視」メニュー（以下、モニタリングメニューと称する。）の初期画面では、自動倉庫設備の全体レイアウトが表示される。マウス１８をドラッグ操作して拡大表示させたい拡大対象領域Ｚ１を選択した状態で右クリックにより表示されるサブメニュー（図示せず）から拡大表示メニューを選択すると、図６のような画面に移行する。つまり、表示制御手段Ｇが、レイアウト画面における拡大対象領域Ｚ１がマウス１８にて選択されると、その拡大対象領域Ｚ１を拡大表示するように構成されている。なお、マウス１８の右クリックにより表示されるサブメニューから縮小表示メニューを選択すると、図５に示すモニタリングメニューの初期画面に移行する。
【００４２】
図５及び図６に示すように、モニタリングメニューでは、各物品搬送機器の夫々を示すシンボルをそれらの実際の配置に対応させて表示したレイアウト画面が表示される。つまり、表示制御手段Ｇが、複数の物品搬送機器の夫々を示すシンボルを複数の物品搬送機器の配置に対応させて示すレイアウト画面を表示自在に構成されている。
【００４３】
レイアウト画面では、画面上に表示されている各物品搬送機器についての「運転」「異常」「停止」「切り離し」「未接続」「通信異常」の６つの動作状態が色分けにより区別可能に表示される。また、走行経路４を走行移動するスタッカークレーン５や、走行経路９を走行移動する自走搬送台車１０を示すシンボルの表示位置は、スタッカークレーン５や自走搬送台車１０の設備における実際の位置に対応させてリアルタイムに更新される。
【００４４】
図６に示すように、レイアウト画面には、搬送データシンボルＢが表示されている。搬送データシンボルＢは、物品搬送機器が現在搬送しているコンテナ１の搬送データを示すシンボルであり、シンボルＢにて示される搬送データについての搬送データ対応情報である。表示制御手段Ｇは、搬送データが搬送対象とするコンテナ１の搬送経路における実際の位置に対応させて当該搬送データのシンボルＢを表示している。そして、レイアウト表示における搬送データシンボルＢをマウス１８によりダブルクリックすることで、図７に示すように、搬送データシンボルＢが示すコンテナ１についての搬送データの内容を表示させることができる。
【００４５】
つまり、表示制御手段Ｇが、搬送データが指定する搬送作業の搬送対象となるコンテナ１を示すシンボルＢを、搬送対象のコンテナ１の実際の搬送位置に対応させる形態で、搬送データ対応情報としてレイアウト画面に表示するように構成され、かつ、マウス１８にてコンテナ１の搬送シンボルＢが選択されると、コンテナ１についての搬送データを表示部１５に表示するように構成されている。
【００４６】
なお、レイアウト画面上の選択対象物のない部分にマウスカーソルを位置させた状態でマウス１８を右クリック操作すると、レイアウト画面を回転操作するサブメニュー（図示せず）が表示される。回転操作メニューを選択すると、レイアウト画面表示を９０度単位で回転させた表示に切り換え操作することができる。これにより、モニタ端末Ｍを使用する作業者Ｐの位置や向きに合わせた向きでレイアウト画面を表示できるので、実際の設備とレイアウト画面との対応が分かり易い。ちなみに、マウスの右クリックで表示されるサブメニューには、縮小表示メニューがあり、初期画面等の縮尺に戻すことができるようになっている。
【００４７】
レイアウト画面には、作業管理装置Ｃ１が管理する各搬送データの搬送対象であるコンテナ１がシンボルとして表示されている。搬送データから把握される当該コンテナ１の搬送作業の進捗に対応させて、コンテナ１を現在搬送している物品搬送機器のシンボルに重ねて表示している。図６には、図中Ｚ２で示す領域の入庫用コンベヤ６ａ及びこれに対応するステーションに停止している自走搬送台車１０が異常状態となっている例を示している。なお、スタッカークレーン５や自走搬送台車１０がコンテナ１を搬送担当する場合において、実際にコンテナ１を物品搬送機器上に受け取るまで、つまり、掬いサイクルが完了するまでは、これらの物品搬送機器のシンボルにはコンテナ１のシンボルは重複表示されず、直前に搬送担当していた物品搬送機器のシンボルにコンテナ１のシンボルを重複して表示させている。
【００４８】
このような異常状態が発生した場合、自走搬送台車１０から入庫用コンベヤ６ａにコンテナ１が移載されるときにトラブルが生じたことが想定されるため、作業者Ｐが当該箇所に出向いて復旧作業を行う。復旧作業において、作業者は、モニタ端末Ｍのレイアウト画面におけるコンテナ１の表示位置を参照することで、コンテナ１を自走搬送台車１０か入庫用コンベヤ６ａかのいずれにセットすれば搬送データとの整合が取れるかを簡単迅速に把握できる。そのため、異常状態の復旧作業において、コンテナ１を払い出して対応する搬送データを削除するといった対応を取らずに済むとともに、異常の復旧作業後に搬送データにより把握されるコンテナ１の搬送を担当する物品搬送機器と、実際にコンテナ１を搬送する物品搬送機器とが食い違い、再び異常状態となる二次障害の発生を防止でき、搬送データにより管理される進捗状況と実際のコンテナ１の搬送位置との整合が取れた状態で異常状態であった物品搬送機器の運転を再開させることができる。
【００４９】
図６に示すように、レイアウト画面には、各物品搬送機器についてのバッチ処理で一括指令された複数の作業要求についての搬送データによるコンテナ１のうち、各物品搬送機器が未だ搬送していないコンテナ１の個数である未搬送個数が、レイアウト画面上における各物品搬送機器を示すシンボルに近接又は重複させて表示されている。
【００５０】
具体的には、スタッカークレーン５については、スタッカークレーン５のシンボルに近接させてクレーン用残作業数表示部Ｋが表示されており、クレーン用残作業数表示部Ｋには、各スタッカークレーン５が後何個のコンテナ１を搬送することになるかを示す数値が表示されている。また、スタッカークレーン５については、スタッカークレーン５のシンボルに近接させてクレーン用残作業数表示部Ｋが表示されており、各スタッカークレーン５が後何個のコンテナ１を搬送することになるかが表示されている。
【００５１】
なお、スタッカークレーン５の走行移動に伴って、前述の通り、レイアウト画面上のスタッカークレーン５のシンボルの表示位置が移動するが、クレーン用残作業数表示部Ｋの表示位置も同様に、スタッカークレーン５のシンボルの表示位置の移動に対応して移動する。
【００５２】
また、荷捌コンベヤ装置１２については、荷捌コンベヤ装置１２のシンボルに重複させて作業者用残作業数表示部Ｊが表示されており、作業者用残作業数表示部Ｊには、各荷捌コンベヤ装置１２が後何個のコンテナ１を搬送することになるかを示す数値が表示されている。つまり、表示制御手段Ｇが、荷捌コンベヤ装置１２についての未搬送個数を、レイアウト画面上における荷捌コンベヤ装置１２を示すシンボルに対応させる形態で表示自在に構成されている。これにより、各作業者Ｐは、自分が担当する作業箇所であとどれだけの荷捌作業が予定されているかを適確に把握することができるとともに他人が担当する作業箇所の残作業数も把握できるので、例えば、残作業数の多い他人の作業箇所の補助を計画するなど、作業行動の予定を計画し易い。また、各作業箇所の作業負荷の大小を把握できるため人員配置の予定も立て易い。
【００５３】
レイアウト表示における各荷捌コンベヤ装置１２のシンボルの下部には、作業者用残作業数表示部Ｊに示された数字が、積付作業、払出作業、及び、これらの双方の作業のいずれの作業数を表示しているのかを区別して示すための矢印シンボルＹ１〜Ｙ３が表示されている。矢印シンボルＹ１は、作業者用残作業数表示部Ｊに示された数字が積付作業の数であることを示し、矢印シンボルＹ２は、作業者用残作業数表示部Ｊに示された数字が払出作業の数であることを示し、矢印シンボルＹ３は、作業者用残作業数表示部Ｊに示された数字が積付及び払出の双方の作業の数であることを示している。
【００５４】
荷捌コンベヤ装置１２の作業箇所のち、未完了の搬送データに基づき今後搬送されてくる複数のコンテナ１が、積付作業を対象とするものと払出作業を対象とするものとの双方が予定されている作業箇所（図６において矢印シンボルＹ３が表示された作業箇所）についての作業者用残作業数表示部Ｊには、積付作業数と払出作業数との合計作業数が表示される。つまり、表示制御手段Ｇが、積付作業の対象であるコンテナ１のうち作業箇所に未だ搬送されていない未搬送コンテナについての搬送データと、払出作業の対象であるコンテナ１のうち作業箇所に未だ搬送されていない未搬送コンテナについての搬送データとの合計数を、未搬送個数として表示部１５に表示するように構成されている。
【００５５】
レイアウト表示におけるクレーン用残作業数表示部Ｋや作業者用残作業数表示部Ｊをマウス１８によりダブルクリックすることで、図７に示すように、残作業を構成するコンテナ１についての搬送データの内容を表示させることができる。
【００５６】
つまり、作業管理装置Ｃ１及び搬送管理装置Ｃ２が管理する搬送データに基づいて、その搬送データに対応する搬送データ対応情報としてのクレーン用残作業数や作業者用残作業数を表示部１５に表示させる表示制御手段Ｇが設けられており、表示制御手段Ｇが、表示部１５における搬送データ対応情報を表示するクレーン用残作業数表示部Ｋや作業者用残作業数表示部Ｊがマウス操作により人為的に選択されると、その搬送データ対応情報として表示されている未搬送個数を構成する未搬送コンテナについての搬送データの内容を表示するように構成されている。
【００５７】
なお、図７では図示していないが、搬送データの内容を表示する画面には、ページ切り換えボタンが表示されており、このページ切り換えボタンをマウス操作するか又はキーボードにてページ切り換え操作を指令することにより、表示ページを切り換えることで、複数の搬送データの内容を順次表示させることができるようになっている。
【００５８】
また、積付作業を対象とするものと払出作業を対象とするものとの双方が予定されている作業箇所についての作業者用残作業数表示部Ｊをマウス１８によりダブルクリックすると、夫々の作業についての残作業数の内訳を表示する作業区分別表示部が表示される。そして、この作業区分別表示部を構成する積付残作業数表示部や払出残作業数表示部をマウス１８によりダブルクリックすることで、図７に示すように、当該作業種別についての残作業を構成するコンテナ１についての搬送データの内容を表示させることができる。このように、積付作業を構成するコンテナ１についての搬送データの内容と、払出作業を構成するコンテナ１についての搬送データの内容とを各別に表示させることができる。
【００５９】
図７に示す未搬送コンテナについての搬送データの内容を表示する表示状態において、マウス操作により、「商品・作業情報」のタイトルバーＴをクリックすると、図８に示す商品・作業情報の表示に切り換わる。図８の商品・作業情報表示は、図７で示された搬送キーＤにて識別される搬送データの搬送対象であるコンテナ１に収容される商品についての情報が表示される。
【００６０】
つまり、表示部１５に表示している搬送データの表示領域におけるタイトルバーＴは、当該搬送データに対応する搬送データ対応情報であり、表示制御手段Ｇが、マウス１８にて搬送データ対応情報が選択されると、当該搬送データ対応情報に対応する搬送データの搬送キーに関連付けたコンテナ１の属性情報を作業管理装置Ｃ１から取得して、その属性情報を表示部１５に表示するように構成されている。
【００６１】
なお、図８に示す商品・作業情報の表示状態において、マウス操作により、「搬送データ」のタイトルバーＴをクリックすると、図７に示す搬送データの表示状態に切り換わる。
【００６２】
商品・作業情報表示が表示される仕組みを説明すると、マウス操作により、「商品・作業情報」のタイトルバーＴがクリックされると、モニタ端末Ｍに表示制御手段Ｇとして備えられた表示制御部Ｐ３が、監視装置Ｓに表示制御手段Ｇとして備えられたモニタリング機能部Ｐ１に搬送データの搬送対象となるコンテナ１に収納される商品・作業情報についての表示情報を要求する。監視装置Ｓのモニタリング機能部Ｐ１は作業管理装置Ｃ１に、当該搬送キーに関連する商品・作業情報を要求し、作業管理装置Ｃ１が、管理データベースの商品マスタデータから当該搬送キーに関連する商品情報を参照して、当該商品の商品情報を監視装置Ｓに送信する。監視装置Ｓのモニタリング機能部Ｐ１は、作業管理装置Ｃ１から受信した商品情報に基づいて、モニタ端末Ｍに表示させる表示情報を生成し、モニタ端末Ｍに送信する。そして、モニタ端末Ｍの表示制御部Ｐ３が監視装置Ｓから受信した表示情報に基づいて表示部１５に商品・作業情報を表示する。
【００６３】
本実施形態の自動倉庫設備では、設備に配置された物品搬送機器が後どれだけのコンテナ１を搬送する予定であるかをモニタ端末Ｍにより視認しやすい状態で表示させるので、作業者Ｐは設備の状況を的確に把握することができる。また、荷捌コンベヤ装置１２では作業内容を確認できる。
【００６４】
図３に示すモニタ端末Ｍの初期画面においてマウス１８を操作してマウスカーソルにより「分析」メニューを選択すると、作業管理装置Ｃ１及び搬送管理装置Ｃ２が過去に処理していた搬送データを収集して様々な条件から分析した結果を作業者が視認できるように表示部１５に表示させることができる。例えば、図９に示すように、異常完了した搬送データについて、対象期間表示指定部で指定した指定期間おける、対象範囲表示指定部で指定した複数又は単数の物品搬送機器についての異常コード別の異常搬送データの数をグラフ表示させることができる。
【００６５】
図９で、例えば、条件表示指定領域Ｚ３における「２０１０年１０月」をマウス１８にてクリックすると、図１０に示すような選択メニューが表示され、その中から「２０１０年１１月」を選択すると、変更した指定月の間に発生した異常搬送データが分析され、グラフ表示が更新される。また、「月別表示」をクリックして「年別表示」を選択すると、その右側に指定年を選択できる表示部が表示されるので、指定月の変更と同様の操作にて所望の年を指定することで、その１年間に発生した異常搬送データが分析され、グラフ表示が更新される。このように、条件表示指定領域Ｚ３に表示された各種項目をマウス操作により切り替えることで表示切替指令を指令することができ、これにより、分析表示画面の表示を所望の条件にしたがった表示に切り換えることができる。なお。図１０では説明の便宜のために複数の表示切替指令についての選択メニューを同時に表示しているが、実際は表示切替指令を一つずつ指令することになる。
【００６６】
図９に示す異常コード別表示において、ある異常コードが記録された異常搬送データの個数を示す棒グラフ上にマウスカーソルを位置させて、マウス１８を右クリックすると、分析表示されている搬送データを、商品別や入荷元別に集計した結果をグラフ表示させることができる。本実施形態では、各商品は、固有の商品コードに対応付けられた商品名が商品マスタデータに登録されており、図１１に示すような商品コード別の異常搬送データの個数をグラフ表示させることができる。また、図１１に示すように、ある商品コードの異常搬送データの個数を示す部分にマウスカーソルを位置させると、その商品コードに対応する商品名が表示されるようになっている。本実施形態では、商品コード「０２８７２３２」は商品名「みかん」に対応付けて登録されているため、図１１では、「みかん」と表示されている。
【００６７】
なお、商品別や入荷元別に集計する場合、条件表示指定領域Ｚ３における指定期間や指定範囲はいずれが指定されていてもよく、例えば、商品コード別表示に切り換えた後に図１１における条件表示指定領域Ｚ３における指定範囲を切り替えるといったように、商品別や入荷元別に集計した後にも、図９の条件表示指定領域Ｚ３についての操作と同様に操作することで指定期間及び指定範囲を変更できる。
【００６８】
このように、表示制御手段Ｇは、異常完了した搬送データを分析して表示する分析表示指令が指令されると、異常完了した搬送データの搬送キーに関連付けた属性情報である物品種類情報として、コンテナ１に収容される商品の種類情報である商品コードを、作業管理装置Ｃ１から取得して、異常完了した搬送データを分析して、異常搬送データの個数を搬送データの搬送対象となるコンテナ１に収容される商品の商品コード別に表示部１５に表示するように構成されている。
【００６９】
これにより、特定の異常コードによる異常搬送データについて、どの商品に集中して異常が発生しているか、或いは、どの入荷元からの商品に異常が集中して発生しているか等、コンテナ１の属性情報である商品情報に基づいた異常搬送データの解析を簡単に行うことができ、その種類のコンテナ１を搬送対象とする搬送データのうち異常完了したものの個数が多くなる傾向が表示手段に表示されることになるため、搬送トラブルの原因がコンテナ１の種類に固有の原因であることに気付き易く、適切な対策を採るとこが可能となる。
【００７０】
〔別の実施形態〕
以上、発明者によってなされた発明を発明の実施の形態に基づき具体的に説明したが、本発明は上記実施形態に限定されるものではなく、その要旨を逸脱しない範囲で種々変更可能である。以下、本発明の別実施形態を例示する。
【００７１】
（１）上記実施形態では、選択手段にてレイアウト画面における物品を示すシンボルが選択されると、そのシンボルが示す物品を搬送対象とする搬送データの内容が表示されるように構成されたものを示したが、これに代えて、表示手段が、選択手段にてレイアウト画面における物品を示すシンボルが選択されると、当該物品についての搬送データ及び属性情報のいずれを表示させるかを選択する選択表示部を表示するように構成され、選択手段にて選択表示において搬送データを表示させることが選択されると、表示手段に搬送データを表示し、選択手段にて属性情報を表示させることが選択されると、表示手段に属性情報を表示するように構成されたものであってもよい。
例えば、マウスカーソルを物品のシンボルＢに位置させてシンボルＢを選択すれば、「搬送データ」の表示と「商品・作業データ」の表示を上下に並べた選択メニューが表示されるように構成し、マウスのクリック操作等にて何れかを選択することで、選択した情報を表示させるように構成すればよい。
【００７２】
（２）上記実施形態で示したモニタ端末Ｍの画面上の表示形態は一例であり、搬送データ対応情報等の表示形態は適宜変更可能である。
【００７３】
（３）上記実施形態では、物品処理設備として、自動倉庫８や荷捌コンベヤ装置１２や自走搬送台車１０を備えた自動倉庫設備を示しているが、物品処理設備としては、それぞれ単独の物品搬送機器で構成してもよく、また自動倉庫設備以外の物品処理設備、例えば、無人車システム、モノレールシステム、リニアモータ式搬送システムなど他の物品処理設備で構成してもよい。
【００７４】
（４）上記実施形態では、モニタ端末Ｍを３台設置したものを例示したが、モニタ端末Ｍの設置台数及び配置形態は、適宜変更可能である。また、モニタ端末は、通信ネットワークに無線接続自在なモバイル端末であってもよい。
【００７５】
（５）上記実施形態では、表示制御手段及び表示手段を、監視装置Ｓ及びモニタ端末Ｍに分散して実装する形態で実現するものを例示したが、監視装置Ｓ及びそれが備える画像表示部により表示制御手段及び表示手段を実現してもよい。また、表示制御手段を、作業指令装置Ｃ０、作業管理装置Ｃ１、搬送管理装置Ｃ２のいずれかとモニタ端末Ｍに分散して実装する形態で実現してもよい。
【００７６】
（６）上記実施形態では、作業管理装置Ｃ１を１台備えるものを例示したが、複数台備えてもよい。この場合、各作業管理装置Ｃ１は、複数の搬送制御装置を、それらが制御対象とする物品搬送機器の種類に基づいて、分担して管理することが好ましい。
【００７７】
（７）上記実施形態では、モニタ端末Ｍが入力手段としてキーボード１７及びマウス１８を備えたものを例示したが、これに代えて又は加えて、表示部１５にタッチパネル機能を備えさせて、表示部１５にて入力手段を兼用してもよい。
【００７８】
（８）上記実施形態では、マウス１８により搬送データ対応情報を選択するものを例示したが、キーボード１７にて搬送データ対応情報を選択するものであってもよい。また、表示部１５にタッチパネル機能を備えさせた場合は、作業者の接触操作にて搬送データ対応情報を選択してもよい。
【符号の説明】
【００７９】
Ｂ    搬送データ対応情報
Ｃ１・Ｃ２  管理制御手段
Ｃ３〜Ｃ７  搬送制御手段（機器制御装置）
Ｄ    識別情報
Ｇ，Ｐ１・Ｐ３  表示制御手段
Ｚ１    拡大対象領域
１          物品
５，６，１０，１２，１３，１４  物品搬送装置（物品搬送機器）
１５        表示手段
１７，１８  選択手段
【図１】
0005776934.tif 000002
【図２】
0005776934.tif 000003
【図３】
0005776934.tif 000004
【図４】
0005776934.tif 000005
【図５】
0005776934.tif 000006
【図６】
0005776934.tif 000007
【図７】
0005776934.tif 000008
【図８】
0005776934.tif 000009
【図９】
0005776934.tif 000010
【図１０】
0005776934.tif 000011
【図１１】
0005776934.tif 000012